(57)【要約】【課題】長さの異なるノズルに十分対応でき、透明板保持枠の開閉に際しても遊技球が前側へ零れ落ちる危険性のない弾球遊技機を提供する。【解決手段】遊技機本体Ｐ１の前面に回動自在に装着され遊技盤３の前面を覆う透明板保持枠４と、透明板保持枠４の下方に位置して遊技球を貯留する球皿５を取着した前板６とを備え、透明板保持枠４の前面に、台間球貸機Ｄに設けられたノズルＮから排出される遊技球を上方から受け入れ下方の球皿５の球貯留部５ａに落下させるポケット部材３５を設け、ポケット部材３５は所定の広さを有する皿状に成形され且つその底部に球落下口４０を開設すると共に透明板保持枠４の開閉動作と連動して球落下口４０を開閉するシャッター板４２を設け、透明板保持枠４を開いたときシャッター板４２により球落下口４０が閉じ、透明板保持枠４を閉じたときシャッター板４２が離れて球落下口４０が開くようにした構成からなる。【選択図】図６
2007313022.tif 000002
【特許請求の範囲】
【請求項１】
遊技機本体の前面に回動自在に装着され該遊技機本体に配設した遊技盤の前面を覆う透明板保持枠と、前記透明板保持枠の下方に位置して前記遊技機本体の前面に装着され且つ遊技球を貯留する球皿を取着した前板とを備えてなる弾球遊技機であって、
前記透明板保持枠の前面に、台間球貸機に設けられたノズルから排出される遊技球を上方から受け入れ下方の前記球皿の球貯留部に落下させるポケット部材を設け、前記ポケット部材は所定の広さを有する皿状に成形され且つその底部に球落下口を開設すると共に前記透明板保持枠の開閉動作と連動して前記球落下口を開閉するシャッター板を設け、前記透明板保持枠を開いたとき前記シャッター板により前記球落下口が閉じ、前記透明板保持枠を閉じたとき前記シャッター板が離れて前記球落下口が開くようにしたことを特徴とする弾球遊技機。
【発明の詳細な説明】
【技術分野】
【０００１】
本発明は、遊技機本体の前面に回動自在に装着され遊技盤の前面を覆う透明板保持枠と、該透明板保持枠の下方に位置して前記遊技機本体の前面に装着され且つ球皿が取着された前板とを備えてなる弾球遊技機に関するものである。
【背景技術】
【０００２】
従来、弾球遊技機の一種であるパチンコ遊技機にあっては、例えば次のような構成からなるものがある。すなわち、このパチンコ遊技機は、遊技機本体の前面に回動自在に装着され該遊技機本体に配設した遊技盤の前面を覆う透明板保持枠と、該透明板保持枠の下方に位置して前記遊技機本体の前面に装着され且つ遊技球を貯留する球皿を取着した前板とを備えてなる。そして、前記透明板保持枠の前面に、台間球貸機に設けられたノズルとその下方の球皿に至る遊技球の落下供給域に対してその周囲全体を覆うようにして上下端面が開口する角筒状のポケット部材を設けている（例えば、特許文献１参照。）。
【特許文献１】特開２００２−２２４３７１号公報（第３−４頁、図１）
【０００３】
このように、前記透明板保持枠の前面にノズルと球皿との間に位置するようにして角筒状のポケット部材を設ける必要性を説明する。近時、遊技盤が大型化する傾向にあり、これに伴い透明板保持枠も遊技盤に合わせて広くなっている。この場合、パチンコ遊技機は左右方向及び上方向に限界があるので、透明板保持枠は必然的に下方向に広がる。すると、前板も下がり同時に球皿の位置も下がることになる。一方、パチンコホールの島台に列設される各パチンコ遊技機間には隣接するパチンコ遊技機に貸球としての遊技球を供給するための台間貸球機が配設され、該台間貸球機に水平面内で自在に回動するように設けられたノズルの先端が前記球皿の球貯留部の上方に位置できるようになっている。
【０００４】
ところが、前記ノズルの高さ位置は多少上下に調節できるようになってはいるが、球皿の高さ位置が下がると、ノズルの先端と球皿との上下方向の間隔が離れ、該ノズルから落下する遊技球が球皿の球貯留部の上面で跳ねて前方へ飛び出し付近に散乱する危険性を生ずる。このため、前記ノズルの先端部から球皿上面までの間にポケット部材を配置し、ノズルから排出される遊技球をポケット部材内を通過させて球皿に落下させたときの跳ね返りを防止するようにしている。
【発明の開示】
【発明が解決しようとする課題】
【０００５】
しかしながら、前記ポケット部材、例えば角筒状のポケット部材は、その上面の口が比較的狭い。これに対して、前記ノズルの長さはメーカーによって異なっており、場合によってはノズルの先端とポケット部材の上端面とが合致せずに遊技球のノズルからの排出動作に支障をきたすおそれが有る。
【０００６】
また、例えば一度に多くの貸球としての遊技球をノズルから排出すると、球皿の球貯留部が一杯になりさらには該球皿の球貯留部に収納しきれずポケット部材の内部に遊技球が残ってしまうことがある。このような状態にあって、例えば遊技盤面で遊技球が詰まるなどのトラブルが発生したとき、該トラブルを解消するため透明板保持枠を開くことになる。このとき、ポケット部材内に残っていた遊技球がそのまま引きずられて前記と同じように前方へ飛び出し付近に散乱する危険性が有る。
【０００７】
そこで、本発明は上記課題を解決すべくなされたもので、長さの異なるノズルに十分対応でき、透明板保持枠の開閉に際しても遊技球が前側へ零れ落ちる危険性のない弾球遊技機を提供することを目的とするものである。
【課題を解決するための手段】
【０００８】
かかる目的を達成するため本発明の弾球遊技機は、遊技機本体の前面に回動自在に装着され該遊技機本体に配設した遊技盤の前面を覆う透明板保持枠と、前記透明板保持枠の下方に位置して前記遊技機本体の前面に装着され且つ遊技球を貯留する球皿を取着した前板とを備えてなる弾球遊技機であって、前記透明板保持枠の前面に、台間球貸機に設けられたノズルから排出される遊技球を上方から受け入れ下方の前記球皿の球貯留部に落下させるポケット部材を設け、前記ポケット部材は所定の広さを有する皿状に成形され且つその底部に球落下口を開設すると共に前記透明板保持枠の開閉動作と連動して前記球落下口を開閉するシャッター板を設け、前記透明板保持枠を開いたとき前記シャッター板により前記球落下口が閉じ、前記透明板保持枠を閉じたとき前記シャッター板が離れて前記球落下口が開くようにした構成からなる。
【発明の効果】
【０００９】
本発明に係る弾球遊技機は、ノズルから排出される遊技球を上方から受け入れ下方の球皿の球貯留部に落下させるポケット部材を所定の広さを有する皿状に成形し、また、該ポケット部材の底部に球落下口を開設すると共に透明板保持枠の開閉動作と連動して該球落下口を開閉するシャッター板を設けるようにしたので、長いまたは短いノズルに対しても、十分対応できる。また、ポケット部材の内部に遊技球が残っている状態で透明板保持枠を開いても、シャッター板が球落下口を塞ぐことになり、前方へ飛び出し付近に散乱する危険性がない。これにより、遊技盤面での遊技球が詰まるなどのトラブルを解消する作業が安心して行えるという効果がある。
【発明を実施するための最良の形態】
【００１０】
以下、本発明に係る弾球遊技機の実施の形態を図面に基づき説明する。なお、弾球遊技機には、例えば、パチンコ遊技機、アレンジボール機または雀球遊技機があるが、本発明にあっては、その一例としてパチンコ遊技機について説明する。図１は本発明に係るパチンコ遊技機の正面図である。
【００１１】
パチンコ遊技機Ｐは、外側に縦長長方形状の外枠１を有し、その前面に内枠２がその一側を支点として開閉自在に装着され、該内枠２に遊技盤３が設置される。また、該内枠２の前面には、その上部に前記遊技盤３の前面を覆う透明板保持枠４が開閉自在に装着され、その下方に打球発射部（図示せず。）へ供給される打球としての遊技球を貯留する球皿５が設けられた前板６が装着されている。この前板６は内枠２の前面に固着されるが、開閉自在に装着するようにしても良い。また、前板６の前面には前記球皿５の一側に位置して打球の発射力を調整するための操作ハンドル７が装着され、他側に位置して灰皿８が装着される。この場合、前記外枠１と内枠２とを合わせて遊技機本体Ｐ１が構成されるものとする。
【００１２】
前記遊技盤３の前面に渦巻状に敷設された内側・外側ガイドレール９ａ，９ｂに囲われて遊技部３ａが成形され、該遊技部３ａにはその中央に位置して数字、図柄等の情報を変動表示する可変表示装置１０、遊技球の入賞によって前記情報を変動させる始動入賞口１１が装着される。また、その下方に、前記可変表示装置１０の情報が特定の表示（例えば、「７７７」）に揃ったとき、一定の条件の下で一度に多くの賞球としての遊技球が得られる入賞装置１２が装着されている。
【００１３】
一方、前記透明板保持枠４は、縦長長方形状に成形され、図２乃至図４に示すように中央に前記遊技盤３前面の遊技部３ａが臨む透視窓１３が開設される。この透視窓１３には裏面に後記する透明板ユニット３０が装着される。前記透明板保持枠４は、その本体をなす保持枠本体板１４とその裏面に重合されほぼ同じ形状に成形される薄い補助金属板１５とからなる。
【００１４】
前記透明板保持枠４の裏面下縁部に図３に示すように弾力性を有する線材からなる支持部材１８が固着される。該支持部材１８は、中央部にほぼ水平に屈曲させ透明板保持枠４の裏面と平行となる受止部２２が設けられる。また、保持枠本体板１４の裏面であって、前記透視窓１３の外周縁の複数個所に支軸２８により軸着され保持枠本体板１４の裏面と平行な面内で回動し得る係止部材２９が設けられる。これらは透明板ユニット３０を保持枠本体板１４の裏面に固定するためのものである。
【００１５】
そして、透明板保持枠４の裏面に透明板ユニット３０を配置し、図４に示すように該透明板ユニット３０下端面に設けられた突条部３４を透明板保持枠４の裏面と受止部２２との間の挿入空間２３に上から挿入すると共に下端面を支持部材１８の受止部２２により支持する。この状態で、各係止部材２９を支軸２８を中心として回動させ、透明板ユニット３０の外周縁に突設された各取付片（図示せず。）に係止させる。これにより、保持枠本体板１４の裏面に透明板ユニット３０がしっかりと取着される。
【００１６】
前記透明板保持枠４の一側下縁部、すなわち図１のパチンコ遊技機Ｐを正面から見て左下部にポケット部材３５が装着される。該ポケット部材３５は、台間球貸機Ｄに設けたノズルＮの先端から排出される遊技球を球皿５の球貯留部５ａに落下させる前に一旦受け止め零れることなく球貯留部５ａに貯留できるようにするためのものである。よって、ポケット部材３５は前記ノズルＮの先端と球皿５との間の高さ位置に配置されることになる。
【００１７】
前記ポケット部材３５は、合成樹脂材からなり上面と後面が開放する皿状に成形され所定の広さを有する。これは、通常前記ノズルＮの長さが各メーカーによって異なっており、どのメーカーのノズルＮにも対応できるようにその広さが設定される。そして、図２に示すように一側の端部に透明板保持枠４の前面から前方へ突出する軸受部３６に軸着される支軸部３７が設けられ、他側の後面に後方へ突出しその後端に互いに外側を向く爪部３８ａを有する一対の弾性係合片３８，３８が設けられる。
【００１８】
これにより、ポケット部材３５は図８鎖線に示すように前記支軸部３７を中心として水平面内で前後に自在に回動し、透明板保持枠４に当接したときは前記一対の弾性係合片３８，３８がこれと対向位置して保持枠本体板１４に設けられた係合凹部３９に係合して固定されるようになっている。ただ、その係合力は、例えば前記ポケット部材３５を前側から強く引っ張ると外れる程度に設定されている。
【００１９】
また、図５、図６に示すようにポケット部材３５の底部は空間部を有する二重底壁３５ａ，３５ｂになっており、その底部の一側に球落下口４０が開設され該球落下口４０の下方に球皿５の球貯留部５ａが位置することになる。前記空間部内に底部の他側で縦軸４１により軸着され水平面内で前後に回動するシャッター板４２が配置される。該シャッター板４２は、前記球落下口４０を塞ぐことができる閉塞板部４２ａと、下底壁３５ｂより下側に位置し且つポケット部材３５の後端面から後方へ突出し得る作用板部４２ｂとからなる。更に、シャッター板４２の一側にＶ字形のねじりバネ４３が配設され、その一端がシャッター板４２に止着されると共に他端が下底壁３５ｂに止着される。前記ねじりバネ４３により、シャッター板４２は常に透明板保持枠４側へ付勢される。
【００２０】
前記ポケット部材３５は、デザイン上着色された合成樹脂材を使用する場合、前面の一部に略逆三角形状の開口４４を開設すると共に該開口４４に透明な合成樹脂材からなる蓋板４５を嵌着する。また、ポケット部材３５とは別体に成形される前記下底壁３５ｂも透明な合成樹脂材により成形することが好ましい。これは、通常、ポケット部材３５の下方であって前板６に、球払出装置（図示せず。）から払い出される賞球としての遊技球を球皿５の球貯留部５ａに排出するための球排出口４６が設けられるが、ポケット部材３５によって該球排出口４６が隠れてしまい遊技者からほとんど見えなくなる。そこで、遊技者から前記透明な蓋板４５及び下底板３５ｂを通して球排出口４６から遊技球が排出されるのを見られるようにして安心感を与えるためである。
【００２１】
そこで、遊技中など常態では透明板保持枠４が遊技機本体Ｐ１の前面に閉められている。また、ポケット部材３５は、一対の弾性係合片３８，３８の爪部３８ａ，３８ａが係合凹部３９に係合して透明板保持枠４の前面に固定されている。このとき、シャッター板４２は図５実線、図６に示すようにねじりバネ４３の付勢に抗してその作用板部４２ｂの後端が前板６の前面に当接しており、閉塞板部４２ａが球落下口４０を開放する位置で停止している。
【００２２】
遊技者が遊技をする場合は、図６に示すようにノズルＮの先端をポケット部材３５の上方に位置させ、そのノズルＮから所定量の貸球としての遊技球を排出させる。排出された遊技球は、ポケット部材３５内に落下すると共に連続して球落下口４０を介して下方の球皿５の球貯留部５ａに落下して貯留される。このように、ノズルＮから排出させた遊技球を球皿５の球貯留部５ａに落下させる間に一端ポケット部材３５で受け止めるようにしているので、球皿５には遊技球が勢い良く落下することがなく、その際の遊技球の跳ね返りがほとんどなくなり球零れが防止できる。
【００２３】
また、例えばノズルＮから球皿５の球貯留部５ａに一度に多くの遊技球を排出すると、球貯留部５ａが一杯になり該球貯留部５ａに収納しきれずポケット部材３５の内部に遊技球が残ってしまうことがある。このような状態で、例えば遊技盤３面で打球である遊技球が詰まるなどのトラブルが発生したとき、該トラブルを解消するため透明板保持枠４を開くことになる。すなわち、図７に示すように透明板保持枠４を開くと、シャッター板４２が自由になりねじりバネ４３の付勢により後側へ回動し、閉塞板部４２ａが球落下口４０を閉塞した状態で停止する。これにより、ポケット部材３５内に残る遊技球が球落下口４０を介して下方へこぼれることも防止され、遊技者へのサービスの一環に繋がる。
【００２４】
前記ポケット部材３５は一対の弾性係合片３８，３８が係合凹部３９から外れ易くなっているが、これは例えばパチンコホールにあって営業終了後に球皿５を掃除する場合、前記ポケット部材３５が邪魔になり回動させる必要があるからである。すなわち、図８に示すようにポケット部材３５を前側から握って手前に引くことにより前記係合が簡単にはずれて前側へ回動できる。また、透明板保持枠４の下縁を前方へ引出してその隙間から遊技盤３面に針金やセル板といった不正具を侵入させ故意に入賞球を発生させるという不正行為が行なわれることがあるが、この際、ポケット部材３５が手で握り安いことから、該ポケット部材３５を手で握って透明板保持枠４の下縁を前側へ引き出そうとしても、係合が簡単に外れポケット部材３５が前側へ回動してしまい、うまく引き出すことができなくなる。これにより、前記のような不正行為も防止できる。
【００２５】
図９、図１０は他の実施の形態に係るポケット部材を示すものである。なお、他の実施の形態にあっては、本発明とほとんど構成が同一なので、同一部位は同一番号を附すことにより詳しい説明は省略する。
【００２６】
他の実施の形態に係るポケット部材５０にあっては、本発明のように水平面内で回動するシャッター板４２は設けられてない。これに替わり、下底壁３５ｂの下面に上下方向に回動して球落下口４０を開閉できるようにした円板状のシャッター板５１が配置される。すなわち、シャッター板５１上面の後側に水平な横軸５２が設けられ、該横軸５２がポケット部材５０の下底壁３５ｂ下面における球落下口４０の後側に配置された軸受部５３に軸着される。そして、シャッター板５１が該横軸５２を中心としてその前端縁５１ａを上下に回動できるようになっている。
【００２７】
また、前記横軸５２の後側であって下底壁３５ｂの下面とシャッター板５１の上面との間に圧縮スプリング５４が介在され、シャッター板５１が該圧縮スプリング５４によりその前端縁５１ａを上方へ回動して球落下口４０を塞ぐように付勢される。一方、前板６前面における前記シャッター板５１の後端縁５１ｂと対応する位置に、上面を後方へ進むに従い漸次高くなる上り傾斜面５５ａとしたガイド部材５５が突設されている。
【００２８】
そこで、遊技中など透明板保持枠４が遊技機本体Ｐ１の前面に閉められているときは、図９に示すようにシャッター板５１の後端縁５１ｂがガイド部材５５の上り傾斜面５５ａに沿って上方へ押し上げられる。反面、シャッター板５１の前端縁５１ａが圧縮スプリング５４の付勢に抗して下方へ回動し、球落下口４０を遊技球が通過し得る程度に開けている。
【００２９】
この状態で、遊技者が遊技をするべく、ノズルＮの先端をポケット部材３５の上方に位置させ、そのノズルＮから所定量の貸球としての遊技球を排出させると、排出された遊技球は、ポケット部材５０内に落下すると共に連続して球落下口４０を介して下方の球皿５の球貯留部５ａに落下して貯留される。このように、ノズルＮから排出させた遊技球を球皿５の球貯留部５ａに落下させる間に一端ポケット部材５０で受け止めるようにしているので、球皿５には遊技球が勢い良く落下することがなく、その際の遊技球の跳ね返りがほとんどなくなり球零れが防止できる。
【００３０】
また、例えばノズルＮから球皿５の球貯留部５ａに一度に多くの遊技球を排出すると、球貯留部５ａが一杯になり該球貯留部５ａに収納しきれずポケット部材３５の内部に遊技球が残ってしまうことがある。このような状態で、前記のように遊技盤３面で打球である遊技球が詰まるなどのトラブルが発生したとき、該トラブルを解消するため透明板保持枠４を開けることになる。このときは、図１０に示すようにシャッター板５１が自由になり圧縮コイルバネ５４の付勢によりその後側が下方へ押し下げられると共に前端縁５１ａが上方へ回動して球落下口４０を閉塞する。
【００３１】
これにより、ポケット部材５０内に残る遊技球が球落下口４０を介して下方へこぼれることも防止され、遊技者へのサービスの一環に繋がる。また、本発明と同様にポケット部材５０も一対の弾性係合片３８，３８が係合凹部３９から外れ易くなっており、例えばパチンコホールにあって営業終了後に球皿５を掃除する場合の利便性を図っている。同時に、透明板保持枠４の下縁を前方へ引出しその隙間から遊技盤３面に針金やセル板といった不正具を侵入させ故意に入賞球を発生させるという不正行為も防止できるようになっている。
【図面の簡単な説明】
【００３２】
【図１】本発明に係るパチンコ遊技機の正面図。
【図２】透明板保持枠の表から見た斜視図。
【図３】保持枠本体板の一部を裏側から見た斜視図。
【図４】透明板保持枠の一部の側面断面図。
【図５】透明板保持枠の開閉動作を示す平面図。
【図６】透明板保持枠を閉めた状態を示す側面断面図。
【図７】透明板保持枠を開けた状態を示す側面断面図。
【図８】ポケット部材の回動動作を示す平面図。
【図９】他の実施の形態に係るポケット部材を装着した透明板保持枠を示す側面断面図。
【図１０】同作用を示す側面断面図。
【符号の説明】
【００３３】
３                      遊技盤
４                      透明板保持枠
５                      球皿
５ａ                    球貯留部
６                      前板
３５                    ポケット部材
４０                    球落下口
４２                    シャッター板
Ｄ                      台間球貸機
Ｎ                      ノズル
Ｐ                      弾球遊技機（パチンコ遊技機）
Ｐ１                    遊技機本体
【図１】
2007313022.tif 000003
【図２】
2007313022.tif 000004
【図３】
2007313022.tif 000005
【図４】
2007313022.tif 000006
【図５】
2007313022.tif 000007
【図６】
2007313022.tif 000008
【図７】
2007313022.tif 000009
【図８】
2007313022.tif 000010
【図９】
2007313022.tif 000011
【図１０】
2007313022.tif 000012